(57)【要約】【課題】本発明は、便器への取付け作業や便器からの取外し作業が容易であり、かつ、便器に安定に固定することができる便器用手すりを提供することを課題とする。【解決手段】便器２の左右両側に設置される左右一対の側枠３と、該側枠３にそれぞれ取り付けられる左右一対の手すり４と、該左右一対の側枠３に差し渡される連結枠５とを有する便器用手すり１において、該連結枠５からは後方に向けて左右一対の固定アーム６が回動可能に差し出され、該連結枠５には該便器２の前部に当接する当接部１６が設けられている便器用手すり１を提供する。【選択図】    図１
2006000622.tif 000002
【特許請求の範囲】
【請求項１】
便器の左右両側に設置される左右一対の側枠と、該側枠にそれぞれ取り付けられる左右一対の手すり部と、該左右一対の側枠に差し渡される連結枠とを有する便器用手すりにおいて、該側枠または該連結枠からは後方に向けて左右一対の固定アームが回動可能に差し出されており、該連結枠には該便器の前部に当接する当接部が設けられていることを特徴とする便器用手すり。
【請求項２】
該固定アームには押出しボルトがそれぞれ設けられており、該押出しボルトを前側または後側から螺着することによって該固定アームが水平方向で回動可能とされている請求項１に記載の便器用手すり。
【請求項３】
該固定アームには押出しボルトがそれぞれ設けられており、該押出しボルトを側方から螺着することによって該固定アームが水平方向で回動可能とされている請求項１に記載の便器用手すり。
【請求項４】
該連結枠は前後方向に折畳み可能とされており、該連結枠を折り畳むことによって該便器用手すりが折畳み可能とされている請求項１〜請求項３のいずれかに記載の便器用手すり。
【請求項５】
該便器用手すりの前後長は３５０ｍｍ〜５００ｍｍに設定されている請求項１〜請求項４のいずれかに記載の便器用手すり。
【請求項６】
該手すり部は該側枠に上下摺動可能に取り付けられている請求項１〜請求項５のいずれかに記載の便器用手すり。
【請求項７】
該手すり部は上側肘掛け部と下側肘掛け部とを有しており、該上側肘掛け部は該下側肘掛け部に対して前後摺動可能とされている請求項１〜請求項６のいずれかに記載の便器用手すり。
【請求項８】
該手すり部は肘掛け部を有しており、該肘掛け部は跳ね上げ可能とされている請求項１〜請求項６のいずれかに記載の便器用手すり。
【発明の詳細な説明】
【技術分野】
【０００１】
本発明は、主として洋式便器の両側に設置する便器用手すりに関する。
【背景技術】
【０００２】
従来、高齢者や体の不自由な人が洋式便器を使用するときに安全に立ち座りするための便器用手すりとして、便器の両側に立設配置される左右一対の手すり枠と、該手すり枠の後部に差し渡される後側連結桟と、該手すり枠の前部に差し渡される前側連結桟とからなり、該手すり枠に、回動により便器本体方向に進退可能なねじ棒を有する固定手段が備えられている便器用手すり装置が提供されている（特許文献１参照）。
【０００３】
また、便器への固定作業を簡単に行える便器用手すりとして、便器の左右両側に起立する起立部材と、該便器の下部前方側で該起立部材を相互に連結する連結部材とからなる手摺本体と、該手摺本体の連結部材に取り付けられた固定部材とからなり、該固定部材が、該手摺本体の左右両側から便器の中央部に向かって斜め上方に立ち上がって、該便器の左右下部の湾曲表面を斜め下方から押圧する一対の固定アームを備えている便器用手摺が提供されている。そして、該固定アームの上端に取り付けられたアタッチメントは、便器の湾曲状態に応じて接触角度を調節できるように、ある程度の自由度を持っており、また、該アタッチメントによる押圧力が弱まるのを防止するために、該便器用手摺の連結部材の後端部は連結棒によって相互に連結されている（特許文献２参照）。
【０００４】
【特許文献１】特開平１１−１１３８０２号公報（第２−４頁、第１図）
【特許文献２】特許２９８１１８２号公報（第２−５頁、第２図）
【発明の開示】
【発明が解決しようとする課題】
【０００５】
しかしながら上記従来の便器用手すり装置では、該便器用手すり装置を便器に取り付ける際または便器から取り外す際に、固定手段であるねじ棒を緩める向き（固定を解除する向き）に回動させると、該ねじ棒が左右側方へ突出することとなる。そのため、側方スペースの小さいトイレ室内では、該ねじ棒がトイレの左右壁面に干渉して、該便器用手すり装置の取付け作業または取外し作業が困難になるという問題があった。
また、該手すり枠の後部には後側連結桟が差し渡されているため、該便器用手すり装置を便器に取り付ける場合には、該後側連結桟が便器に干渉するため、該便器用手すり装置を持ち上げる必要があり、取付け作業に多大な労力を要するという問題があった。
更に、該便器用手すり装置は、該手すり枠に備えられている固定手段の左右一対のねじ棒による二点支持で便器に固定されているため、該便器用手すり装置に回転方向の力が加えられた場合、例えば使用者が一方の手すりに手をついて便器から立ち上がろうした場合などに、該ねじ棒が外れるおそれがあるという問題があった。
また更に、該便器用手すり装置の便器への取付けまたは取外しの際に、固定部材であるねじ棒を摺動させる分だけ該ねじ棒を回動させる必要があり、ねじ棒の摺動量が大きい場合にはねじ棒の回動量が多くなり、取付け作業または取外し作業に手間がかかるという問題があった。
【０００６】
一方、上記従来の便器用手摺では、該便器用手摺の連結部材の後端部を連結棒によって連結する必要があるため、特に狭いトイレの室内では、このような連結作業を便器の後側で行なうことが困難であり、連結作業に少なからず労力を要するという問題があった。
また、該便器用手摺は、該手摺本体の左右両側から斜め上方に立ち上げられた一対の固定アームによる二点支持で便器に固定されているため、該便器用手摺に回転方向の力が加えられた場合に、該固定アームが外れるおそれがあるという問題がある。
この場合、該固定アームのアタッチメントはある程度の自由度を持っているため、回転力に対して弱くなり、該便器用手摺に回転方向の力が加えられた場合、該固定アームが更に外れやすくなるという問題があった。
更に、該手摺本体の左右両側から斜め上方に立ち上げられている固定アームによって便器への固定を行なうため、便器の左右下部の形状が湾曲していない便器の場合、例えば左右下部の形状が略円筒形状の便器の場合には、該固定アームによる便器への固定が行なえないという問題があった。
また更に、該便器用手摺の便器への取付けまたは取外しの際には、固定部材である固定アームを摺動させる分だけ該固定アームのノブボルトを回動させる必要があり、固定アームの摺動量が大きい場合にはノブボルトの回動量が多くなり、取付け作業または取外し作業に手間がかかるという問題があった。
【課題を解決するための手段】
【０００７】
本発明は上記従来の課題を解決するための手段として、便器２の左右両側に設置される左右一対の側枠３と、該側枠３にそれぞれ取り付けられる左右一対の手すり部４と、該左右一対の側枠３に差し渡される連結枠５とを有する便器用手すり１において、該側枠３または該連結枠５からは後方に向けて左右一対の固定アーム６が回動可能に差し出されており、該連結枠５には該便器２の前部に当接する当接部１６が設けられている便器用手すり１を提供するものである。
該固定アーム６には押出しボルト２６がそれぞれ設けられており、該押出しボルト２６を前側または後側から螺着することによって該固定アーム６が水平方向で回動可能とされていることが望ましい。
または、該固定アーム６には押出しボルト２６がそれぞれ設けられており、該押出しボルト２６を側方から螺着することによって該固定アーム６が水平方向で回動可能とされていることが望ましい。
また、該連結枠５は前後方向に折畳み可能とされており、該連結枠５を折り畳むことによって該便器用手すり１が折畳み可能とされていることが望ましい。
更に、該便器用手すり１の前後長Ｌは３５０ｍｍ〜５００ｍｍに設定されていることが望ましい。
また更に、該手すり部４は該側枠３に上下摺動可能に取り付けられていることが望ましい。
この場合、該手すり部４は上側肘掛け部１２と下側肘掛け部１１とを有しており、該上側肘掛け部１２は該下側肘掛け部１１に対して前後摺動可能とされていることが望ましい。
または、該手すり部４は肘掛け部３２を有しており、該肘掛け部３２は跳ね上げ可能とされていることが望ましい。
【発明の効果】
【０００８】
本発明の便器用手すり１では、該固定アーム６を内側に回動させて、該便器２の左右側部を該固定アーム６で左右後寄りから抱え込むとともに、該連結枠５の当接部１６を該便器２の前部に当接させることによって、左右の固定アーム６と連結枠５の当接部１６による抱え込み三点支持で該便器用手すり１を該便器２に安定に固定することができる。このように、該便器用手すり１を便器２に前側から取り付けることができるので、従来のように該便器用手すり１を持ち上げる必要がなく、取付け作業が非常に容易となる。
また、該便器用手すり１を便器２に前側から取り付けた後に、該便器２の後側において、別途、従来のような連結部材を差し渡す必要がなく、連結作業の分だけ取付け作業や取外し作業の労力を低減することができる。
更に、該便器用手すり１は、左右の固定アーム６と連結枠５の当接部１６による抱え込み三点支持で該便器２に安定に固定されているので、該便器用手すり１に回転方向の力が加えられた場合、例えば使用者が一方の手すり部４に手をついて便器２から立ち上がろうした場合であっても、該固定アーム６と該当接部１６による固定が外れることがない。
また更に、該便器用手すり１は、左右の固定アーム６と連結枠５の当接部１６による抱え込み三点支持で該便器２に固定されるので、便器２の左右下部の形状が湾曲していない便器２、例えば左右下部の形状が略円筒形状の便器２であっても、該便器用手すり１を安定に固定することができる。更にこの場合、便器２の左右下部の形状が上広がり形状に湾曲していれば、該便器用手すり１は、左右の固定アーム６と連結枠５の当接部１６によって、上下方向にも安定に固定される。
【発明を実施するための最良の形態】
【０００９】
以下、本発明を実施例１および実施例２により詳細に説明する。
【実施例１】
【００１０】
本発明を図１〜図７に示す一実施例によって説明する。
図１〜図３に示すように、便器用手すり１は、便器２の左右両側に設置される左右一対の略逆Ｔ字状の側枠３と、該側枠３にそれぞれ取り付けられる左右一対の略Ｔ字状の手すり部４と、該左右一対の側枠３に差し渡される連結枠５とを有しており、該連結枠５からは後方に向けて左右一対の固定アーム６が水平方向で回動可能に差し出されている。
【００１１】
該側枠３は、前後に滑り止め用のゴム脚７がそれぞれ取り付けられた水平杆８と、該水平杆８の中央部から立設された垂直杆９とを有している。
また、該手すり部４は、該側枠３の垂直杆９の上部に上下摺動可能に挿着される挿着杆１０と、該挿着杆１０の上部に取り付けられる下側肘掛け部１１と、該下側肘掛け部１１の上側に前後摺動可能に取り付けられる上側肘掛け部１２とを有している。
この場合、該側枠３の水平杆８の前後長Ｌ1 は４９０ｍｍに設定されており、また、該手すり部４の上側肘掛け部１２の前後長Ｌ2 は３５０ｍｍに設定されており、更に、該上側肘掛け部１２の前後摺動量ＬS は８０ｍｍに設定されている。
本実施例では、該側枠３の垂直杆９の外側面には、該手すり部４が上下に摺動するのを防止するための高さ固定ボルト１３が取り付けられており、また、該手すり部４の下側肘掛け部１１の外側面には、該上側肘掛け部１２が前後に摺動するのを防止するための長さ固定ボルト１４が取り付けられている。
【００１２】
該連結枠５は、左右一対のＬ字状のリンク杆１５と、便器２の前部に当接する当接部１６を有する当接部材１７とを有しており、該リンク杆１５の根端部は、該側枠３の水平杆８に前後回動可能に枢着されており、また、該リンク杆１５の中央部は該当接部材１７に前後回動可能に枢着され、該左右一対のリンク杆１５は該当接部材１７を介して相互に連結されている。そして、該Ｌ字状のリンク杆１５が該当接部材１７を介して相互に連結されることによって、該連結枠５は略コの字状とされており、該連結枠５の下部には足引きスペースＳが設けられている（図１参照）。
本実施例では、該リンク杆１５の根端部の内側面に、該リンク杆１５が前後に回動するのを防止するための回動固定ボルト１８が取り付けられており、また、図５に示すように、該当接部材１７には、該リンク杆１５の中央部が前後に回動するのを防止するための回動固定ねじ１９が取り付けられている。そして、該リンク杆１５の中央部には、図５（ａ）に示すように該連結枠５を伸ばした状態で該回動固定ねじ１９が螺着される第一ねじ穴２０と、図５（ｂ）に示すように該連結枠５を折り畳んだ状態で該回動固定ねじ１９が螺着される第二ねじ穴２１がそれぞれ設けられている。
【００１３】
そして、該連結枠５のリンク杆１５を該側枠３の水平枠に対して前後に回動させるとともに、該当接部材１７に対して該リンク杆１５を前後に回動させることによって、該連結枠５は前後方向に折畳み可能とされており、該連結枠５を折り畳むことによって該便器用手すり１が折畳み可能とされている（図７参照）。
【００１４】
図４に示すように、該固定アーム６は、後部に滑り止めのためのゴムグリップ２２が取付けられたアーム杆２３と、該アーム杆２３の根端部が上下回動可能に枢着される枢着部２４を有する取付け部材２５とからなり、該取付け部材２５は連結枠５のリンク杆１５に前後回動可能に枢着されている。
本実施例では、該取付け部材２５の後面に押出しボルト２６が設けられており、該押出しボルト２６を後側から螺着して、該押出しボルト２６の先端部で該リンク杆１５の後面を後側から押すことによって、該固定アーム６は内側に回動可能とされている。
【００１５】
図６に示すように、該固定アーム６のアーム杆２３の根端部には、左右一対の長穴２７が設けられており、該取付け部材２５の枢着部２４には、該アーム杆２３の長穴２７に摺動可能に挿着されるピン２８が立設されている。また、該取付け部材２５の枢着部２４には、図６（ｂ）に示すように該固定アーム６を立ち上げた状態で該アーム杆２３の根端部が当接する当接段部２９が設けられている。
【００１６】
上記のような便器用手すり１を便器２に取り付けて使用する場合には、図２〜図４に示すように、該便器用手すり１を該便器２に前側から取り付けた後、該押出しボルト２６を後側から螺着して該固定アーム６を内側に回動させて、便器２の左右側部を該固定アーム６で左右後寄りから抱え込むとともに、連結枠５の当接部１６を該便器２の前部に当接させる。
このとき、該固定アーム６のゴムグリップ２２および該連結枠５の当接部１６がクッション性を有するゴム製とされているので、該ゴムグリップ２２および該当接部１６が便器２の前部に当接したときに該便器２の前部が傷つくことが防止されている。
【００１７】
また、便器用手すり１の不使用時などに該便器用手すり１を折り畳む場合には、該連結枠５のリンク杆１５の根端部の回動固定ボルト１８を緩めて、該リンク杆１５を該側枠３の水平枠に対して前後に回動可能とするとともに、図５に示すように、該連結枠５の当接部材１７の回動固定ねじ１９を第一ねじ穴２０から取り外して、該連結枠５を前後に回動可能とする。そして、該連結枠５のリンク杆１５を該側枠３の水平枠に対して前後に回動させるとともに、該連結枠５の当接部材１７に対して該リンク杆１５を前後に回動させて、該連結枠５を折り畳み状態とし、該回動固定ねじ１９を第二ねじ穴２１に螺着する。
【００１８】
このとき、固定アーム６は上方に回動させて立ち上げた状態とした後、該固定アーム６を下方に押し下げて、該枢着部２４のピン２８を該アーム杆２３の長穴２７の中を摺動させる。そして、図６（ｂ）に示すように、該アーム杆２３の根端部を該枢着部２４の当接段部２９に当接させる。このようにして、該固定アーム６を立ち上げた状態とする。このとき、該アーム杆２３の根端部が該枢着部２４の当接段部２９に当接しているので、該固定アーム６は後方に回動して倒れることが防止される。
【００１９】
上記のようにして、該連結枠５のリンク杆１５を該側枠３の水平枠に対して前後に回動させるとともに、該連結枠５の当接部材１７に対して該リンク杆１５を前後に回動させることによって、該連結枠５を前後方向に折畳み状態とし、図７に示すように、該便器用手すり１を折畳み状態とする。
【００２０】
上記の便器用手すり１では、図２に示すように、押出しボルト２６を後側から螺入して固定アーム６を内側に回動させて、便器２の左右側部を該固定アーム６で左右後寄りから抱え込むとともに、連結枠５の当接部１６を該便器２の前部に当接させることによって、左右の固定アーム６と連結枠５の当接部１６による抱え込み三点支持で該便器用手すり１を該便器２に安定に固定することができる。このように、便器用手すり１を便器２に前側から取り付けることができるので、従来のように該便器用手すり１を持ち上げる必要がなく、取付け作業が非常に容易となる。
【００２１】
また、便器用手すり１を便器２に前側から取り付けた後に、該便器２の後側において、別途、従来のような連結部材を差し渡す必要がなく、連結作業の分だけ取付け作業や取外し作業の労力を低減することができる。
【００２２】
更に、便器用手すり１は、左右の固定アーム６と連結枠５の当接部１６による抱え込み三点支持で該便器２に安定に固定されているので、該便器用手すり１に回転方向の力が加えられた場合、例えば使用者が一方の手すり部４に手をついて便器２から立ち上がろうした場合であっても、該固定アーム６と該当接部１６による固定が外れることがない。
【００２３】
また更に、該便器用手すり１は、左右の固定アーム６と連結枠５の当接部１６による抱え込み三点支持で該便器２に固定されるので、便器２の左右下部の形状が湾曲していない便器２、例えば左右下部の形状が略円筒形状の便器２であっても、該便器用手すり１を安定に固定することができる。更にこの場合、便器２の左右下部の形状が上広がり形状に湾曲していれば、該便器用手すり１は、左右の固定アーム６と連結枠５の当接部１６によって、上下方向にも安定に固定される。
【００２４】
本実施例では、該押出しボルト２６を前側または後側から螺着することによって該固定アーム６が回動可能とされているので、該便器用手すり１を便器２に取り付ける際または便器２から取り外す際に、該固定アーム６による固定を解除する向きに該押出しボルト２６を緩めても、該押出しボルト２６が左右側方へ突出することがない。
そのため、側方スペースの小さいトイレ室内でも、該便器用手すり１の取付け作業または取外し作業を容易に行なうことができる。
更に、該便器用手すり１の便器２への取付けまたは取外しの際には、テコの原理により、該固定アーム６の回動量に対して該押出しボルト２６の螺着量は少なくてすみ、取付け作業または取外し作業の手間が軽減される。
【００２５】
また、該連結枠５が前後方向に折畳み可能とされ、該連結枠５を折り畳むことによって該便器用手すり１が折畳み可能とされているので、該便器用手すり１の不使用時に、該便器用手すり１を折り畳んでコンパクトに収納することができ、更にこの場合、該便器用手すり１の高さが折畳み状態でも高くなることがなく、狭いトイレでも邪魔になることなく収納することができる。
【００２６】
更に、該便器用手すり１の前後長Ｌは３５０ｍｍ〜５００ｍｍに設定されているので、出入り口の間取りが狭いトイレでも容易にトイレ室内に運び込むことができるとともに、使用時の安定性が低下することもなく、また、手すり部４の使い勝手が損なわれることもない。
すなわち、該便器用手すり１の前後長Ｌが５００ｍｍよりも長い場合には、出入り口の間取りが狭いトイレの場合には、トイレ室内に運び込むことが非常に困難になる。一方、該便器用手すり１の前後長Ｌが３５０ｍｍよりも短い場合、例えば該便器用手すり１の側枠３の水平杆８の前後長Ｌ1 が３５０ｍｍよりも短い場合には、使用時の安定性が低下することとなり、また、該便器用手すり１の上側肘掛け部１２の前後長Ｌ2 が３５０ｍｍよりも短い場合には、該便器用手すり１の使い心地が悪くなる。
【００２７】
その上、該連結枠５の下部には足引きスペースＳが設けられているので、使用者は便器２から立ち上がる際に該足引きスペースＳ内に足を引くことができ、便器２からの立ち上がり動作が容易になる。
また、該手すり部４の挿着杆１０を該側枠３の垂直杆９に対して上下に摺動させることによって、該手すり部４は高さ調節可能とされているため、使用者の体型に合わせて該手すり部４の高さを調節することができる。
更に、該手すり部４の上側肘掛け部１２を下側肘掛け部１１に対して前後に摺動させることによって、該手すり部４は長さ調節可能とされているため、使用者の体型に合わせて該手すり部４の長さを調節することができる。
【実施例２】
【００２８】
図８および図９には他の実施例が示される。
図１〜図７に示した実施例１に対して、本実施例では、図８に示すように、側枠３の垂直杆９の前面に、手すり部４が上下に摺動するのを防止するための高さ固定ボルト１３が取り付けられており、また、手すり部４の下側肘掛け部１１の下面に、上側肘掛け部１２が前後に摺動するのを防止するための長さ固定ボルト１４が取り付けられている。
【００２９】
また本実施例では、図８および図９に示すように、固定アーム６が取り付けられる連結枠５のリンク杆１５の前面に押出しボルト２６が設けられており、該押出しボルト２６を前側から螺着して、該押出しボルト２６の先端部で取付け部材２５の後面を前側から押すことによって、該固定アーム６は内側に回動可能とされている。
【００３０】
更に本実施例では、図８に示すように、連結枠５の中央部分と固定アーム６の取付け部材２５には、汚れ防止のためのカバー部材３０が上側から被着されている。
【００３１】
本実施例においても、前実施例と同様の作用効果を奏することができる。
その上、側枠３の垂直杆９の前側面に高さ固定ボルト１３が取り付けられており、また、手すり部４の下側肘掛け部１１の下側面に長さ固定ボルト１４が取り付けられているため、該高さ固定ボルト１３または該長さ固定ボルト１４を緩めても、該高さ固定ボルト１３または該長さ固定ボルト１４が左右側方へ突出することがない。
そのため、側方スペースの小さいトイレ室内でも、該手すり部４の高さ調節作業または長さ調節作業を容易に行なうことができる。
【００３２】
また、連結枠５のリンク杆１５の前面に固定アーム６の押出しボルト２６が設けられているため、該押出しボルト２６を前側から螺入して該固定アーム６を内側に回動させることができるので、便器用手すり１の抱え込み固定作業または固定解除作業を便器２の前側から行なうことができ、スペースの小さいトイレ室内であっても、上記の作業を更に容易に行うことができる。
【実施例３】
【００３３】
図１０〜図１５には更に他の実施例が示される。
図１〜図７に示した実施例１に対して、本実施例では、図１０〜図１２に示すように、便器用手すり１は、便器２の左右両側に設置される左右一対の略逆Ｔ字状の側枠３と、該側枠３にそれぞれ取り付けられる左右一対の略逆Ｌ字状の手すり部４と、該左右一対の側枠３に差し渡される連結枠５とを有しており、該側枠３からは後方に向けて左右一対の固定アーム６が水平方向で回動可能に差し出されており、また、該左右一対の側枠３は該固定アーム６を介して該連結枠５で連結されている。
【００３４】
該側枠３は、前後に滑り止め用のゴム脚７がそれぞれ取り付けられた水平杆８と、該水平杆８の中央部から立設された垂直杆９とを有している。
また、該手すり部４は、該側枠３の垂直杆９の上部に上下摺動可能に挿着される挿着杆１０と、該挿着杆１０の上部に枢着される枢着基部３１と、該枢着基部３１の上側に取り付けられる肘掛け部３２とを有している。そして、図１４に示すように、該枢着基部３１を枢着ピン３３を中心として上方に回動させることにより、該手すり部４の肘掛け部３２は手前側に跳ね上げ可能とされている。
本実施例では、図１５に示すように、手すり部４の挿着杆１０の下部には略Ｕ字状の屈曲ばね３４が内装されており、該屈曲ばね３４の先端には位置決めピン３５が凸設されている。また、該挿着杆１０の下部には、該位置決めピン３５が挿通されるピン挿通孔３６が設けられており、一方、側枠３の垂直杆９の上部には該位置決めピン３５が係止される二個の位置決め孔３７が縦列して設けられている（図１０参照）。
【００３５】
該連結枠５は、中央部が前方および下方に屈曲した形状のリンク杆１５と、該リンク杆１５の中央部に設けられた略Ｖ字状の当接部１６とを有しており、該当接部１６は、該便器用手すり１を便器２に装備したときに、便器２の前部に当接するようにされている。
本実施例では、該リンク杆１５の中央部が前方および下方に屈曲しているので、前部が突出している便器２に該便器用手すり１を装備する場合であっても、該リンク杆１５が該便器２の前部に干渉することがない（図１２参照）。
【００３６】
図１３に示すように、該固定アーム６は、後部に滑り止めのためのゴムグリップ２２が取付けられたアーム杆２３と、該アーム杆２３の根端部が左右回動可能に枢着される枢着部２４を有する取付け部材２５とからなる。該取付け部材２５の枢着部２４の上部には、連結枠５のリンク杆１５の両端部が取付け固定されており、また、該取付け部材２５の後部は、側枠３の垂直杆９の中央部に取付け固定されている（図１０参照）。
本実施例では、該取付け部材２５の外側面の中央部には押出しボルト２６が設けられており、該押出しボルト２６を側方から螺着して、該押出しボルト２６の先端部で該アーム杆２３の側面を側方から押すことによって、該固定アーム６は内側に回動可能とされている。
【００３７】
上記のような便器用手すり１を便器２に取り付けて使用する場合には、図１１および図１２に示すように、該便器用手すり１を該便器２に前側から取り付けた後、該押出しボルト２６を側方から螺入して該固定アーム６を内側に回動させて、便器２の左右側部を該固定アーム６で左右斜め後方から抱え込むとともに、連結枠５の当接部１６を該便器２の前部に当接させる。
このとき、該固定アーム６のゴムグリップ２２および該連結枠５の当接部１６がクッション性を有するゴム製とされているので、該ゴムグリップ２２および該当接部１６が便器２の前部に当接したときに該便器２の前部が傷つくのが防止されている。
【００３８】
また、上記の便器用手すり１の手すり部４を跳ね上げる場合には、該手すり部４の枢着基部３１を枢着ピン３３を中心として上方に回動させることにより、該肘掛け部３２は手前側に跳ね上げ撤去される。
一方、上記の便器用手すり１の手すり部の高さを調節する場合には、まず、側枠３の二個の位置決め孔３７のうち一方の位置決め孔３７から突出している位置決めピン３５を、屈曲ばね３４のばね付勢力に抗して内側に押し込んで、該位置決めピン３５の係止を解除する。その後、該手すり部４の挿着杆を側枠３の垂直杆９に対して上下に摺動させると、屈曲ばね３４によって外向きに付勢されている位置決めピン３５は該側枠３の他方の位置決め孔３７に突出して係止される。
【００３９】
本実施例においても、実施例１と同様の作用効果を奏することができる。
本実施例では、該押出しボルト２６を側方から螺着することによって該固定アーム６が回動可能とされているので、該押出しボルト２６の操作を行いやすく、また、立ち座りの際に該押出しボルト２６が邪魔になることがない。
そのため、該便器用手すり１の取付け作業または取外し作業を非常に容易に行なうことができるとともに、便器２への立ち座りが容易となる。
【００４０】
また、該手すり部４の挿着杆１０を該側枠３の垂直杆９に対して上下に摺動させ、該手すり部の位置決めピン３５を該側枠の二個の位置決め孔３７のいずれかを選択して係止させることにより、該手すり部４の高さが二段階調節可能とされているため、使用者の体型に合わせて該手すり部４の高さを容易に調節することができる。
更に、該手すり部の肘掛け部３２を手前側に跳ね上げて撤去することができるので、介助者が側方から介助作業をする場合に、該手すり部の肘掛け部３２が邪魔になることがなく、介助作業を容易に行うことができる。
【００４１】
以上、本発明の実施の形態を実施例により説明したが、本発明の範囲はこれらに限定されるものではなく、請求項に記載された範囲内において目的に応じて変更・変形することが可能である。
【産業上の利用可能性】
【００４２】
本発明は、便器への取付け作業や便器からの取外し作業が容易であり、かつ、便器に安定に固定することができる便器用手すりとして、産業上利用することが出来る。
【図面の簡単な説明】
【００４３】
【図１】実施例１の便器用手すり（使用状態）の斜視図である。
【図２】実施例１の便器用手すりの説明平面図である。
【図３】実施例１の便器用手すりの側面図である。
【図４】実施例１の便器用手すりの固定アームの説明平面図である。
【図５】実施例１の便器用手すりの連結杆の折畳み説明平面図である。
【図６】実施例１の便器用手すりの固定アームの折畳み説明側面図である。
【図７】実施例１の便器用手すり（折畳み状態）の斜視図である。
【図８】実施例２の便器用手すり（使用状態）の分解斜視図である。
【図９】実施例２の便器用手すりの固定アームの説明平面図である。
【図１０】実施例３の便器用手すり（使用状態）の斜視図である。
【図１１】実施例３の便器用手すりの説明平断面図である。
【図１２】実施例３の便器用手すりの側面図である。
【図１３】実施例３の便器用手すりの固定アームの説明平面図である。
【図１４】実施例３の便器用手すりの手すり部の説明側面図である。
【図１５】実施例３の便器用手すりの手すり部の説明正断面図である。
【符号の説明】
【００４４】
１  便器用手すり
２  便器
３  側枠
４  手すり部
５  連結枠
６  固定アーム
１１  下側肘掛け部
１２  上側肘掛け部
１６  当接部
２６  押出しボルト
３２  肘掛け部
Ｌ  便器用手すりの前後長
【図１】
2006000622.tif 000003
【図２】
2006000622.tif 000004
【図３】
2006000622.tif 000005
【図４】
2006000622.tif 000006
【図５】
2006000622.tif 000007
【図６】
2006000622.tif 000008
【図７】
2006000622.tif 000009
【図８】
2006000622.tif 000010
【図９】
2006000622.tif 000011
【図１０】
2006000622.tif 000012
【図１１】
2006000622.tif 000013
【図１２】
2006000622.tif 000014
【図１３】
2006000622.tif 000015
【図１４】
2006000622.tif 000016
【図１５】
2006000622.tif 000017